(57)【特許請求の範囲】
【請求項１】
送信装置と無線接続可能な受信装置であって、
１又は複数の前記送信装置の識別情報を管理する識別情報管理手段と、
人間の存在を感知する人感センサと、
前記人感センサによって人間の存在を感知したとき前記識別情報管理手段によって管理されている前記送信装置を探索し、前記人感センサによって人間の存在を感知しなかったとき前記送信装置を探索しない探索手段と、
前記探索手段が前記送信装置を発見した場合、発見した前記送信装置と無線接続する接続手段と、
前記接続手段によって接続された前記送信装置からコンテンツを受信する受信手段と、
前記受信手段によって受信されたコンテンツを再生する再生手段とを備え、
前記人感センサによって人間の存在を感知しなくなったとき、前記接続手段が前記送信装置との接続を解除する、受信装置。
【請求項２】
前記識別情報管理手段が、１又は複数の前記送信装置の識別情報を所定の優先順位に従って管理し、かつ、前記接続手段が前記送信装置と無線接続したとき、無線接続した前記送信装置の優先順位が最高になるように管理内容を変更し、
前記探索手段が、前記識別情報管理手段によって管理されている前記送信装置を優先順位が高い方から順に探索し、前記送信装置を発見したときに前記送信装置の探索を終了する、請求項１に記載の受信装置。
【請求項３】
前記接続手段が前記送信装置と無線接続したときに前記接続手段によって接続された前記送信装置に再生アプリケーションプログラムの起動指示およびコンテンツ再生指示を送信する指示手段をさらに備える、請求項１又は２に記載の受信装置。
【発明の詳細な説明】
【技術分野】
【０００１】
本発明は、送信装置に無線接続可能な受信装置に関する。
【背景技術】
【０００２】
音楽ファイルを記録可能なフラッシュメモリ等の記憶媒体を有する送信装置と、アンプ装置およびスピーカーを有する受信装置とを備えるコンテンツ送受信システムが利用されている。送信装置は、音楽ファイルを再生し、音楽データを例えばBluetooth等の無線通信を使用して受信装置に送信する。受信装置は、音楽データを受信して、増幅し、スピーカーから音声を出力する。
【０００３】
送信装置の音楽データを受信装置で増幅して出力するためには、（１）受信装置の電源をスタンバイ状態から電源オン状態に移行させる、（２）受信装置と送信装置との接続処理を実行させる、（３）送信装置において再生アプリケーションを起動させ、音楽ファイルを選択し、音楽ファイルを再生開始させる、といった３種類のユーザ操作が必要となり、その操作が非常に煩雑である。また、受信装置の無線接続範囲内に複数の送信装置が存在する場合、ユーザ操作によって、複数の送信装置の中から接続対象の送信装置を１つ選択し受信装置と接続させる必要があり、その操作が煩雑である。
【０００４】
下記特許文献１には、「従属デバイスＤ１は、接続可能な複数の主デバイスＰ（Ｐ１〜Ｐ３のいずれか２つ）を検出した場合、接続優先度に応じて接続相手を決定し、決定した接続相手と無線通信を開始する。また、予め設定された切替条件により、従属デバイスＤ１は、接続相手との無線通信中に無線リンクが切れた場合、接続可能な主デバイスＰを検索し、接続優先度に応じて接続相手を自動的に切り替える。また、従属デバイスＤ１は、無線リンクが切れていなくても、接続可能な新たな主デバイスＰを検出した場合、接続優先度に応じて接続相手を切り替える。また、従属デバイスＤ１は、切り替えを指示する指示入力があった場合に、接続優先度に応じて接続相手を切り替える。」ことが記載されている。また、特許文献１には、「主デバイス毎に最終接続日時を管理し、ブロードキャストによって主デバイスを一斉に探索し、複数の主デバイスが検索された場合に、最終接続日時に基づいて接続対象を決定する。」ことが記載されている。
【０００５】
しかし、特許文献１の技術によると、主デバイスを従属デバイスに接続させる処理にはユーザ操作が必要である。また、特許文献１によると、ブロードキャストで一斉に主デバイスを探索する必要があるので、Bluetoothには適用することができない。
【先行技術文献】
【特許文献】
【０００６】
【特許文献１】特開２００９−７１６５７号公報
【発明の概要】
【発明が解決しようとする課題】
【０００７】
本発明は上記従来の課題を解決するためになされたものであり、その目的は、ユーザ操作を要することなく送信装置と無線接続可能な受信装置を提供することである。
【課題を解決するための手段】
【０００８】
本発明の好ましい実施形態による受信装置は、送信装置と無線接続可能な受信装置であって、１又は複数の前記送信装置の識別情報を管理する識別情報管理手段と、人間の存在を感知する人感センサと、前記人感センサによって人間の存在を感知したとき前記識別情報管理手段によって管理されている前記送信装置を探索し、前記人感センサによって人間の存在を感知しなかったとき前記送信装置を探索しない探索手段と、前記探索手段が前記送信装置を発見した場合、発見した前記送信装置と無線接続する接続手段と、前記接続手段によって接続された前記送信装置からコンテンツを受信する受信手段と、前記受信手段によって受信されたコンテンツを再生する再生手段とを備え、前記人感センサによって人間の存在を感知しなくなったとき、前記接続手段が前記送信装置との接続を解除する。
【０００９】
探索手段は、人感センサが人間の存在を感知したとき送信装置を探索し、人感センサが人間の存在を感知しなかったとき送信装置を探索しない。従って、探索手段が常に送信装置を探索することはないので、探索手段における無駄な消費電力の発生を防止できる。受信装置の近傍に人が居ないということは、受信装置が送信装置からコンテンツを受信して再生する必要がないからである。探索手段が送信装置を探索し発見した場合、接続手段が送信装置と無線接続する。従って、人が送信装置を所持、携帯して受信装置の近傍に移動するだけで、受信装置は人が所持、携帯する送信装置と自動的に接続し、送信装置からコンテンツを受信して再生することができる。また、送信装置を所持する人が受信装置の配置されている部屋から出て行った場合でも、受信装置の無線範囲内であれば、送信装置から受信装置にコンテンツが送信されてしまい、受信装置においてコンテンツが継続的に再生されてしまう。従って、受信装置がコンテンツの受信有無に基づいて送信装置との無線接続を解除すると適切な時点で接続を解除できない。そこで、人感センサによって人間の存在を感知しなくなったときに送信装置との無線接続を解除することにより、適切な時期に接続を解除することができる。
【００１０】
好ましい実施形態においては、前記識別情報管理手段が、１又は複数の前記送信装置の識別情報を所定の優先順位に従って管理し、かつ、前記接続手段が前記送信装置と無線接続したとき、無線接続した前記送信装置の優先順位が最高になるように管理内容を変更し、前記探索手段が、前記識別情報管理手段によって管理されている前記送信装置を優先順位が高い方から順に探索し、前記送信装置を発見したときに前記送信装置の探索を終了する。
【００１１】
この場合、探索手段は、最近接続した送信装置から順番に送信装置を探索し、送信装置を発見した時点で探索を終了する。最近接続した送信装置はユーザが再び使用する可能性が高いので、受信装置は迅速に送信装置を発見することができ、無駄な探索処理を削減することができる。
【００１８】
好ましい実施形態においては、前記接続手段が前記送信装置と無線接続したときに前記接続手段によって接続された前記送信装置に再生アプリケーションプログラムの起動指示およびコンテンツ再生指示を送信する指示手段をさらに備える。
【００１９】
送信装置において再生アプリケーションが起動されていない、又は、コンテンツを再生していない場合であっても、ユーザ操作を要することなく再生装置がコンテンツを再生し、受信装置が送信装置からコンテンツを受信することができる。
【発明の効果】
【００２０】
ユーザ操作を要することなく送信装置と無線接続可能な受信装置を提供することができる。
【図面の簡単な説明】
【００２１】
【図１】本発明の好ましい実施形態による受信装置１００と送信装置２００とを示すブロック図である。
【図２Ａ】接続履歴テーブルを示す図である。
【図２Ｂ】接続履歴テーブルを示す図である。
【図２Ｃ】接続履歴テーブルを示す図である。
【図３】受信装置１００と送信装置２００とのペアリング処理を示すフローチャートである。
【図４】受信装置１００のＣＰＵ１の処理を示すフローチャートである。
【図５】受信装置１００のＣＰＵ１の処理を示すフローチャートである。
【図６】受信装置１００のＣＰＵ１の処理を示すフローチャートである。
【図７】受信装置１００のＣＰＵ１の処理を示すフローチャートである。
【発明を実施するための形態】
【００２２】
以下、本発明の好ましい実施形態について、図面を参照して具体的に説明するが、本発明はこれらの実施形態には限定されない。
【００２３】
図１は、本発明の好ましい実施形態によるコンテンツ再生システムを示す概略ブロック図である。コンテンツ再生システムは、コンテンツ受信装置（以下、受信装置という。）１００と、コンテンツ送信装置（以下、送信装置という。）２００とを備える。受信装置１００は、例えば各部屋に設置された据置型のオーディオ装置である。送信装置２００は、各個人が所持、携帯する音楽プレーヤ、ノートパソコン、スマートフォン、携帯電話機、携帯ゲーム機等である。コンテンツは、音楽ファイル（音楽データ）、音声ファイル（音声データ）、映像ファイル（映像データ）、静止画ファイル（静止画データ）等の総称であるが、本実施形態においては音楽ファイル（音楽データ）である。
【００２４】
受信装置１００と送信装置２００とは、例えば、Bluetooth等の任意の規格の無線通信によって相互に接続可能である。送信装置２００は、自身が記録している音楽フィルを再生し、再生した音楽データを無線経由で、受信装置１００に送信する。受信装置１００は、送信装置２００から送信された音楽データを受信し、増幅して、スピーカーから音声を出力する。
【００２５】
受信装置１００は、ＣＰＵ１と、ＲＡＭやフラッシュメモリ等の書換可能メモリ２と、ＲＯＭ３と、通信部４と、再生部５と、スピーカー６と、人感センサ７とを概略備える。ＣＰＵ１は、ＲＯＭ３に格納されている受信装置１００の動作プログラムに基づいて受信装置１００の各部を制御する。
【００２６】
通信部４は、送信装置２００の通信部１８と接続して通信し、各種の制御コマンドや、音楽データ等を送信装置２００との間で送受信する。通信部４は、例えばBluetoothの無線送受信機である。再生部５は、通信部４が送信装置２００から受信した音楽データを再生（例えば、デコード、Ｄ／Ａ変換、音量調整、増幅等）し、スピーカー６から音声を出力する。
【００２７】
人感センサ７は、人間の存在を感知し、その結果をＣＰＵ１に通知する。人感センサ７は、赤外線、超音波、可視光等の周知のものが採用され得る。ＣＰＵ１は、受信装置１００が送信装置２００と接続していないときに人感センサ７から人間の存在を感知した旨の通知を受信したとき、送信装置２００を探索し、送信装置２００を発見した場合には、送信装置２００と自動的に接続する。一方、ＣＰＵ１は、受信装置１００が送信装置２００と接続していないとき人感センサ７から人間の存在を感知した旨の通知を受信しない場合には送信装置２００の探索を実行しない。従って、受信装置１００の無駄な探索による消費電力を抑制することができる。
【００２８】
ＣＰＵ１は、１又は複数の送信装置２００の識別情報を所定の優先順位に従って管理し、かつ、送信装置２００と無線接続したとき、無線接続した送信装置２００の優先順位が最高になるように管理内容を変更する。ＣＰＵ１は、送信装置２００を優先順位が高い方から順に探索し、送信装置２００を発見したときに送信装置２００の探索を終了する。
【００２９】
詳細には、書換可能メモリ２には図２Ａ〜図２Ｃに示す接続履歴テーブルが格納されている。接続履歴テーブルは、受信装置１００と送信装置２００との接続履歴を管理するテーブルである。接続履歴テーブルには所定数（本例では８つ）の項目が存在し、各項目には送信装置２００の識別情報を登録可能である。識別情報は受信装置１００と送信装置２００とがペアリングした際に相互に交換しあい登録される情報であり、例えば、送信装置２００のアドレスと暗号鍵との組合せである。なお、図２Ａ〜図２Ｃでは、送信装置の識別情報を単に「送信装置Ａ」等と略して記述する。接続履歴テーブルにおいて、番号１（図示下側）の項目が優先順位が高く、番号８（図示上側）の項目に向かって優先順位が低くなっていく。例えば、図２Ａにおいては、優先順位は、高い方から送信装置Ａ、送信装置Ｂ、送信装置Ｃ、送信装置Ｄの順になっている。
【００３０】
受信装置１００が送信装置２００と無線接続した際に、ＣＰＵ１は、無線接続した送信装置２００の識別情報を接続履歴テーブルにおいて優先順位が最高の項目に移動（または新規登録）させ、かつ、他の送信装置２００の識別情報を優先順位が１つずつ繰り下がるように移動させる。
【００３１】
例えば、図２Ａの状態で、受信装置１００が送信装置Ｃと無線接続すると、図２Ｂに示すように、送信装置Ｃの優先順位が最高となり、その他の送信装置の優先順位がそれぞれ１つずつ繰り下げられる。また、図２Ｂの状態で、受信装置１００が新たに送信装置Ｅと接続してペアリング処理を実行すると、図２Ｃに示すように、送信装置Ｅの識別情報が、優先順位が最高の項目（番号１）に新規登録され、その他の送信装置２００の優先順位がそれぞれ１つずつ繰り下げられる。
【００３２】
なお、８つの項目の全てに送信装置２００の識別情報が登録されている状態で新たな送信装置２００とペアリングし、当該送信装置２００の識別情報を登録する場合、一番優先順位の低い（項目８）の送信装置２００の識別情報が接続履歴テーブルから削除されるとよい。
【００３３】
ＣＰＵ１は、送信装置２００を探索する際に、最初に、接続履歴テーブルの優先順位の最高の送信装置２００（図２Ａにおいては送信装置Ａ）を探索対象として選択する。ＣＰＵ１は、選択した送信装置Ａを探索し、発見できた場合にはその送信装置Ａと自動的に無線接続する。一方、発見できなかった場合、ＣＰＵ１は、接続履歴テーブルにおいて次に優先順位が高い送信装置２００（図２Ａにおいては送信装置Ｂ）を探索対象として選択する。ＣＰＵ１は、選択した送信装置Ｂを探索し、発見できた場合にはその送信装置Ｂと自動的に無線接続する。そして、ＣＰＵ１は、送信装置Ｂの優先順位が最高になるように、接続履歴テーブルを並べ替える。
【００３４】
必要に応じて、ＣＰＵ１は、無線接続した送信装置２００に対して、再生アプリケーションプログラムを起動する指示や、音楽ファイルを再生開始する指示を送信する。これにより、受信装置１００と無線接続した送信装置２００は、自動的に（つまりユーザ操作を要することなく）、音楽ファイルの再生を開始し、音楽データを受信装置１００に送信することができる。
【００３５】
送信装置２００は、ＣＰＵ１１と、ＲＡＭ１２と、ＲＯＭ１３と、フラッシュメモリ等のコンテンツ記憶部１４と、再生部１５と、表示部１６と、操作部１７と、通信部１８とを概略備える。ＣＰＵ１１は、ＲＯＭ１３に格納されている送信装置２００の動作プログラムに基づいて送信装置２００の各部を制御する。また、ＲＯＭ１３には再生アプリケーションプログラムがインストール又は記録されている。ＣＰＵ１１は、再生アプリケーションプログラムをＲＡＭ１２に読み出して実行する。
【００３６】
フラッシュメモリ１４には複数の音楽ファイルが記録されている。再生部１５は、再生アプリケーションプログラムに従って、フラッシュメモリ１４に記録されている音楽ファイルを再生し、通信部１８を介して受信装置１００に音楽データを送信する。表示部１６は、再生中の音楽ファイルのコンテンツ情報（曲名、アーティスト名等）を表示する。操作部１７は、ユーザ操作に基づく指示が入力されるものであり、送信装置２００の筐体に設けられた操作ボタンやタッチパネル等である。通信部１８は、受信装置１００の通信部４と通信し、各種の制御コマンドや、音楽データ等を受信装置１００との間で送受信する。通信部１８は、例えばBluetoothの無線送受信機である。
【００３７】
以下、本実施形態の動作を説明する。図３は、受信装置１００と送信装置２００とのBluetoothのペアリング処理を示すフローチャートである。受信装置１００と送信装置２００とは、周知の方法によって、無線を介して相互に接続し、ペアリング情報（アドレスおよび暗号鍵）を相互に交換して登録することによって、ペアリング処理を実行する（Ｓ１０１、Ｓ２０１）。受信装置１００のＣＰＵ１は、新たにペアリング処理を実行した送信装置２００の識別情報（ペアリング情報）を接続履歴テーブルの優先順位が最高の項目に登録し、接続履歴テーブルに既に登録されていた他の送信装置２００の識別情報を、優先順位を１つずつ繰り下げる（Ｓ１０２）。この処理により、以下に示すように、受信装置１００と新たにペアリング処理された送信装置２００は、受信装置１００によって最初に探索が実行される。
【００３８】
図４は、受信装置１００が送信装置２００と接続していないときの受信装置１００のＣＰＵ１の処理を示すフローチャートである。特に限定されないが、受信装置１００において、人感センサ７およびＣＰＵ１以外の部分はスタンバイ状態になっている。人感センサ７は、人間の存在を周知の方法で常時監視している（Ｓ１１１）。ＣＰＵ１は、人感センサ７によって人間の存在が感知されたか否かを判断している（Ｓ１１２）。例えば、受信装置１００が配置されている部屋に送信装置２００を所持した人が入って来た場合、人感センサ７によって人間の存在が感知され、その結果がＣＰＵ１に通知される。ＣＰＵ１は、人感センサ７によって人間の存在が感知されたと判断する（Ｓ１１２でＹＥＳ）。ＣＰＵ１は、受信装置１００をスタンバイ状態から電源オン状態に移行させ、Bluetooth接続可能状態に移行させる。
【００３９】
ＣＰＵ１は、接続履歴テーブルに送信装置２００の識別情報が少なくとも１つ登録されているか否かを判断する（Ｓ１１３）。接続履歴テーブルに送信装置２００の識別情報が１つも登録されていなければ（Ｓ１１３）、処理を終了する。一方、接続履歴テーブルに送信装置２００の識別情報が少なくとも１つ登録されている場合（Ｓ１１３でＹＥＳ）、ＣＰＵ１は、接続履歴テーブルの項目番号（１〜８のいずれか）を示す値ｉ＝１に初期化する（Ｓ１１４）。ｉ＝１は上記の通り優先順位が最高の項目である。
【００４０】
ＣＰＵ１は、ｉで特定される送信装置２００を自動的に探索する（Ｓ１１５）。詳細には、ｉで特定される送信装置２００の識別情報（アドレス、暗号鍵）を接続履歴テーブルから読み出して、ポーリング処理を実行する。ＣＰＵ１は、ｉで特定される送信装置２００からポーリングに対する応答を受信したか否かを判断する（Ｓ１１６）。つまり、探索の結果、ｉで特定される送信装置２００が発見されたか否かが判断される。ｉで特定される送信装置２００が無線範囲内に存在している場合には、送信装置２００から応答が返信される。一方、ｉで特定される送信装置２００が無線範囲内に存在していない場合には、送信装置２００から応答が返信されない。
【００４１】
ｉで特定される送信装置２００から応答を受信できない場合（Ｓ１１６でＮＯ）、つまり、ｉで特定される送信装置２００が無線範囲内に存在せず、発見できない場合、ＣＰＵ１はｉをインクリメントする（Ｓ１２１）。ＣＰＵ１は、ｉは所定数（所定数は、接続履歴テーブルに送信装置２００の識別情報を登録可能な個数であり、本例では８）以下であり、かつ、ｉで特定される項目に送信装置２００の識別情報が登録されているかを判断する（Ｓ１２２）。ｉが所定数よりも大である、または、ｉで特定される項目に送信装置２００の識別情報が登録されていない場合（Ｓ１２２でＮＯ）、接続履歴テーブルに登録されている全ての送信装置２００を順番に探索したが、発見できたかったことを意味するので、処理を終了する。一方、ｉが所定数以下であり、かつ、ｉで特定される項目に送信装置２００の識別情報が登録されている場合（Ｓ１２２でＹＥＳ）、接続履歴テーブルに登録されている全ての送信装置２００について未だ探索を終了していないので、ＣＰＵ１は、Ｓ１１５に戻って、ｉで特定される送信装置２００を探索する（Ｓ１１５）。従って、接続履歴テーブルにおいて優先順位が高い送信装置２００から順に、ＣＰＵ１は探索を実行する。
【００４２】
そして、ｉで特定される送信装置２００から応答を受信した場合（Ｓ１１６でＹＥＳ）、ＣＰＵ１は、ｉで特定される送信装置２００と自動的に無線接続する（Ｓ１１７）。この接続処理自体は周知技術が採用され得る。
【００４３】
ＣＰＵ１は、接続した送信装置２００に対して再生アプリケーションプログラムを起動する指示を無線経由で送信する（Ｓ１１８）。送信装置２００のＣＰＵ１１は、再生アプリケーションプログラムを起動する指示を受信すると、起動済みでなければ再生アプリケーションプログラムを起動させる。続いて、ＣＰＵ１は、接続した送信装置２００に再生指示を送信する（Ｓ１１９）。送信装置２００のＣＰＵ１１は、再生指示を受信すると、音楽ファイルを再生中でない場合、音楽ファイルを再生開始し、音楽データを無線経由で受信装置１００に送信する。受信装置１００は、音楽データを受信すると、再生部５によって音楽データを再生し、スピーカー６から音声を出力する。
【００４４】
ｉで特定される送信装置２００の接続履歴テーブルの優先順位が最高でない場合、ＣＰＵ１は、ｉで特定される送信装置２００の接続履歴テーブルにおける優先順位を最高の項目に移動させ、他の送信装置２００の優先順位を１つずつ繰り下げる（Ｓ１２０）。例えば、図２Ａの状態において、ｉ＝３の送信装置Ｃと無線接続した場合には、図２Ｂに示すように送信装置Ｃの優先順位が最高になるようにテーブルが書き換えられる。
【００４５】
以上の処理によって、送信装置２００を所持するユーザが受信装置１００に近づくと、受信装置１００が自動的に電源オン状態になり、接続履歴テーブルに登録されている優先順位に従って順番に送信装置２００が探索され、送信装置２００が発見されるとその送信装置２００と受信装置１００とが自動的に接続する。受信装置１００からの指示に応じて送信装置２００再生アプリケーションプログラムを起動させ、音楽ファイルを再生開始する。従って、ユーザが送信装置２００を所持して受信装置１００に近づくだけで、自動的に受信装置１００から音楽を再生することができる。また、接続履歴テーブルには最後に接続した送信装置２００の識別情報が、優先順位が最高の項目に登録されるので、次回同じ送信装置２００の音楽ファイルを受信装置１００に送信したい場合に、受信装置１００は直ちに（複数の送信装置２００を探索する必要が無く）送信装置２００を発見して自動接続することができる。
【００４６】
本実施形態では、図２Ａ〜図２Ｂの接続履歴テーブルをＲＡＭ上で管理するだけでよいので、ＲＡＭ内での管理内容が非常に簡易であり、ＲＡＭの使用容量の削減に寄与することができる。
【００４７】
図５は、人感センサ７が人間の存在を感知しなくなった場合のＣＰＵ１の処理を示すフローチャートである。受信装置１００が送信装置２００と接続している（音楽データを受信して再生している）とき（Ｓ１３１）、人感センサ７は、人間の存在を常時監視している。ＣＰＵ１は、人感センサ７によって人間の存在が感知されているかを判断している（Ｓ１３２）。人間の存在を感知している場合（Ｓ１３２でＹＥＳ）、ＣＰＵ１は、送信装置２００との接続、および、送信装置２００から音楽データを受信して再生する処理を継続する。一方、例えば、受信装置１００が配置されている部屋から送信装置２００を所持した人が出て行った場合、人感センサ７によって人間の存在が感知されなくなり、その結果がＣＰＵ１に通知される。ＣＰＵ１は、人感センサ７によって人間の存在が感知されなくなったと判断する（Ｓ１３２でＮＯ）。このとき、ＣＰＵ１は、送信装置２００との無線接続を自動的に解除し（送信装置２００から音楽データを受信しなくなり）、スタンバイ状態に移行し、図３のＳ１０１の処理へと移行する。
【００４８】
受信装置１００が配置されている部屋から送信装置２００を所持した人が出て行った場合であっても送信装置２００が受信装置１００の無線範囲内に存在する場合には、送信装置２００から受信装置１００に音楽データが送信される。従って、受信装置１００は音楽データの受信有無によって、送信装置２００との無線接続を切断することができない。そこで、本実施形態では、人感センサ７によって人間の存在を感知しなくなると、送信装置２００との無線接続を自動的に切断する。従って、人が居なくなっているにもかかわらず、受信装置１００と送信装置２００との無線接続および音楽データ送受信が維持され、受信装置１００および送信装置２００の無駄な電力消費が発生することを防止できる。また、Bluetoothにおいては、１つの送信装置は１つの受信装置としか接続できないので、人感センサ７によって自動的に接続が切断されることによって、送信装置２００を所持するユーザが別の部屋にある別の受信装置１００に近づいたときに、別の受信装置１００と自動的に接続することが可能となる。
【００４９】
次に、図４の処理の変形例を説明する。図６は本例の処理を示すフローチャートであり、図４と同じ処理には同じ符号を付し、説明を省略する。図６においては、Ｓ１２２でｉが所定数よりも大である、または、ｉで特定される項目に送信装置２００の識別情報が登録されていないと判断されると（Ｓ１２２でＮＯ）、つまり、接続履歴テーブルに登録されている全ての送信装置２００を探索済みである場合、ＣＰＵ１は、Ｓ１１４に戻り、ｉ＝１に初期化して、再度、接続履歴テーブルに登録されている送信装置２００を優先順位が高い方から順に探索する。このように処理することによって、接続履歴テーブルにおいて、送信装置２００を探索したが発見できなかった後に、送信装置２００が受信装置１００の無線範囲内に存在するようになった場合に、２回目以降の探索において当該送信装置２００を発見することが可能になる。また、図７に示すように、インデックスｊを定義し、Ｓ１３１においてｊを１に初期化し、Ｓ１２２でＮＯと判断されたとき、Ｓ１３２でｊがインクリメントされ、Ｓ１３３でｊが所定数（例えば３回）以下であるかが判断される。ｊが所定数以下であれば（Ｓ１３３でＹＥＳ）、Ｓ１１４に戻るが、ｊが所定数を超えると（Ｓ１３３でＮＯ）、処理を終了する。従って、図７によると、いつまで送信装置２００を探索し続けることを防止できる。
【００５０】
以上、本発明の好ましい実施形態を説明したが、本発明はこれらの実施形態には限定されない。送信装置２００の仕様によっては、再生アプリケーションの起動指示を送信せずに、再生指示だけを送信するようにしてもよい。受信装置１００は再生装置に音楽ファイル以外のコンテンツ（例えば、映像ファイルや静止画ファイル）を再生するものであってもよい。通信規格は、Bluetoothに限定されるものではなく、無線ＬＡＮ、無線ＨＤＭＩやその他の任意の無線通信規格を適宜選択して採用することができる。本発明の受信装置１００、送信装置２００を動作させるためのコンピュータプログラムまたはそのコンピュータプログラムを記録した記録媒体という形態で提供されてもよい。
【産業上の利用可能性】
【００５１】
本発明は例えば据置型オーディオ機器と携帯型音楽プレーヤとに好適に適用され得る。
【符号の説明】
【００５２】
１００      受信装置
１          ＣＰＵ
２          ＲＡＭ
３          ＲＯＭ
４          通信部
５          再生部
６          スピーカー
７          人感センサ
２００      送信装置
１１        ＣＰＵ
１２        ＲＡＭ
１３        ＲＯＭ
１４        フラッシュメモリ
１５        再生部
１６        表示部
１７        操作部
１８        通信部
【図１】
0005724602.tif 000002
【図２Ａ】
0005724602.tif 000003
【図２Ｂ】
0005724602.tif 000004
【図２Ｃ】
0005724602.tif 000005
【図３】
0005724602.tif 000006
【図４】
0005724602.tif 000007
【図５】
0005724602.tif 000008
【図６】
0005724602.tif 000009
【図７】
0005724602.tif 000010